(57)【特許請求の範囲】
【請求項１】
静電潜像を液体現像し転写紙に静電転写する方法において、キャレンダー加工によってブリストー法吸収係数を２．０ｍｌ／ｍ２・ｍｓ１／２以下とし、かつ王研式平滑度を１５０秒以上にする製造方法で作製した非塗工の液体現像静電転写用転写紙を用いることを特徴とする液体現像転写方法。
【発明の詳細な説明】
【０００１】
【産業上の利用分野】
電子写真法により形成した静電潜像を液体現像し、転写紙に転写する方法、また、転写紙及びその転写紙が非塗工紙の場合の製造方法に関する。
【０００２】
【従来の技術】
電子写真法のうち液体現像により可視化する方式は、液体現像剤中のトナー粒子の微小粒子径に由来して、解像度が高く透明感のある画像が得られることから、複写用のみならずカラープルーファーやオンデマンドプリンターのような印刷関連分野においても実用化が検討されつつある。しかしながら、常法によって感光体等に形成した静電潜像を液体現像して可視像とし、紙に静電転写した場合には、転写紙によっては転写が十分でない場合があった。
【０００３】
そうしたことから、特公昭５０−１０６４９号には、感光体−転写紙間の液体（液体現像剤キャリア液）の存在下における電気泳動現象を利用するとともに、その電気泳動現象を妨げない程度の吸油性（吸油係数αが５×１０-2ｃｍ／ｓｅｃ以下）の転写紙を用いるようにし、それによって転写効率を高めるようにした液体現像転写方法が開示されている。ここにいう「吸油係数」とは転写紙表面に液体現像剤キャリア液を一滴落し、これが転写し裏面側に直径１ｃｍの大きさにしみ広がるまでの時間ｓｅｃを転写紙の厚さｃｍで除した値である。そして、ここでの吸油性を低くする手段としては、
１．叩解度を強くする、
２．透気度を低くする、
３．組織間あるいは表面にレジン等の充填剤を入れる、
４．繊維原料として針葉樹等を高い比率で入れる、
等の方法が有効であるとしている。
【０００４】
また、特公昭５０−１０６５０号には前記吸油性の高いだけの紙では、画像の定着性が不充分であり、このため、吸油係数αが１．０×１０-2ｃｍ／ｓｅｃ以下で、かつベック平滑度１５０秒以下の転写紙を用いることが提案されている。
【０００５】
【発明が解決しようとする課題】
本発明者らは、いくつかの非塗工紙について特公昭５０−１０６５０号に示される平滑度及び特公昭５０−１０６４９号に示される吸油係数αと転写画質との関係を調ベたところ、平滑度及び吸油係数αが先の公報に示された範囲では、画像の均一性が劣ったり、画像濃度が十分でなかったり、一般の印刷物に比べて見劣りのするものであった。
そこで、本発明の目的はこのような不都合を解消し、液体現像転写法における転写画質の向上、特に画像濃度及び均一性の向上が図られ、更にはこの液体現像転写法での使用に効果的な転写紙を提供することにある。
【０００６】
【課題を解決するための手段】
本発明者らは転写工程における転写紙の特性値と転写画質の関係を解明し、転写紙の吸油性、特に液体と転写紙が接触してから極く短時間での吸収特性及び転写紙の平滑度と転写画質との間に関係があることを見い出した。すなわち、特公昭５０−１０６４９号、特公昭５０−１０６５０号に示されるように単に吸油度を低くし適度な粗さ（平滑度１５０秒以下）を与えるだけでは十分な転写画質は得られず、液体と転写紙とが接触してから極く短時間での吸収を少なくし、かつ転写紙がきわめて高い平滑度を有することが必須の条件であることを見い出した。本発明はこれに基づいてなされたものである。
【０００７】
本発明によれば、
（１）静電潜像を液体現像し転写紙に静電転写する方法において、ブリストー法吸収係数が２．０ｍｌ／ｍ2・ｍｓ1/2以下である転写紙を用いることを特徴とする液体現像転写方法、
（２）静電潜像を液体現像し転写紙に静電転写する方法に使用する転写紙において、ブリストー法吸収係数が２．０ｍｌ／ｍ2・ｍｓ1/2以下であることを特徴とする液体現像静電転写用転写紙、及び
（３）転写紙の製造方法において、キャレンダー加工によってブリストー法吸収係数を２．０ｍｌ／ｍ2・ｍｓ1/2以下とし、かつ王研式平滑度を１５０秒以上にすることを特徴とする液体現像静電転写用転写紙の製造方法、
が提供される。
【０００８】
なお、本発明において「ブリストー法吸収係数」とは、Ｊ．ＴＡＰＰＩ紙パルプ試験方法ＮＯ．５１の液体吸収試験方法に示される吸収係数であって、本発明では液体現像剤の担体液を使用したものとして吸収係数を定義する。
ここでブリストー法による吸収係数の求め方を記述すれば下記のとおりである。
▲１▼既知量の液体を添加したヘッドボックスを、任意の一定速度で移動している試験片に接触させ、スリットを通して紙面に液を完全に吸収させる。
このとき、吸収時間Ｔはスリット幅と試験片の移動速度から、下式で示される接触時間で定義される。
0003854319.tif 000002
▲２▼また、液体の転移量Ｖは、ヘッドボックスへの液体添加量をＸμｌ、紙面に転移し終わるまでに液体が残した転移跡の長さ（トレース長）をＡｍｍとすると、
0003854319.tif 000003
で表される。
▲３▼吸収時間と液体の転移量より、極く短時間での紙及び板紙の吸収特性を知ることができる。
吸収時間の平方根に対して、転移量をブロットすると、一般には図１の吸収曲線及び等式が得られる。
0003854319.tif 000004
▲４▼ここで粗さ指数Ｖｒは液体の浸透には全く無関係であり、表面の凹凸等によるものである。
吸収係数Ｋａは吸収の速さを表す指標であり、液体と紙の接触角、紙表面の毛管半径、液体の粘度及び表面張力に関係する。
ぬれ時間Ｔｗは、液体と紙の接触角が大きいときに観察されるもので、液体が紙繊維の表面をぬらしてから吸収が始まるまでの時間である。
【０００９】
以下に本発明をさらに詳細に説明する。
本発明におけるブリストー法吸収係数は、転写紙の液体吸収性を特性値化した点においては特公昭５０−１０６４９号、特公昭５０−１０６５０号の吸油係数αと類似性のある特性値であるが、吸油係数αが液体の吸収挙動を紙の表面から裏面にしみこみ一定の面積に広がる時の時間から求めるように、長い時間における吸収挙動をとらえた特性であるのに対して、ブリストー法吸収係数は短時間における挙動を示し、時間的尺度において大きな差異がある。液体現像転写法においては、液体現像剤が転写紙に接触してから転写工程が実質的に完了するまでの転写時間は概ね１００ｍｓｅｃ前後である。ところが、非塗工紙の吸油係数αを算出する際の吸収時間は概ね１０秒前後であり、転写時間の１００ｍｓｅｃと２オーダー異なる。この時間的尺度の差異が吸油係数αと転写画質の相関性を不十分にすると考えられ。
【００１０】
一方、ブリストー法では、液体と転写紙の接触時間を１ｍｓｅｃ〜１０秒程度の範囲の中で接触時間を変えて転移量を測定し、吸収時間の平方根に対して転移量をプロットして吸収曲線を得る。吸収曲線の形状は吸収時間１００ｍｓｅｃ前後では直線性が認められ、その傾きからブリストー法吸収係数を求めることができる。吸収時間が更に長くなると、直線性は認められなくなり、傾きは次第に緩やかになる。このことからも、長い時間における吸収挙動をとらえた特性は転写工程における液の吸収挙動と異なることが理解できる。
【００１１】
本発明の課題を達成するには、ブリストー法吸収係数は２．０ｍｌ／ｍ2・ｍｓ1/2以下にすることが必要である。２．０ｍｌ／ｍ2・ｍｓ1/2を越えると転写時間の途中で液体現像剤の担体液が吸収されてしまい、転写が不十分になる。ブリストー法吸収係数を２．０ｍｌ／ｍ2・ｍｓ1/2以下にするには特公昭５０−１０６４９号に示される前記の４つの手段から特に適切な手段を選択することで達成できる。但し、前記の４つの手段は必要条件ではあるけれども、十分条件ではなく、この点においては未だ解明は十分ではない。
【００１２】
また、本発明は転写紙の王研式平滑度を１５０秒以上にすることを必須の条件とする。特公昭５０−１０６５０号では液体現像転写紙の要件として吸油度が低いことと適度な表面粗さがあることを不可欠の条件とし、表面粗さとしてはベック法表示で１５０秒以下であることが必要としている。しかしながら、平滑度が低いと転写紙表面の凹部を液体現像剤の担体液が満たす結果、転写に必要な担体液が不足することになり、転写画質が低下する。
【００１３】
転写紙の平滑度を１５０秒以上にするにはキャレンダー加工が有効な製法でなる。
キャレンダー加工による高平滑化は転写紙のブリストー法吸収係数を２．０ｍｌ／ｍ2・ｍｓ1/2以下にする手段としても有効であって、転写紙の自由度が高い（前記の４つの手段を選択することによる制約がない）点でも実用的な手段といえる。
【００１４】
【実施例】
次に実施例により本発明を具体的に説明する。
転写紙として用いた用紙を表１に非塗工紙、表２に非塗工紙をキャレンダー処理したもの、のそれぞれの物性を示す。
【００１５】
【表１】
0003854319.tif 000005
【００１６】
【表２】
0003854319.tif 000006
【００１７】
実施例１〜６、比較例１〜４
リコー社製の液体現像転写機リコーＦＴ４００ｉを改造して、感光体、現像ローラー、リバースローラーを図２に示したような構成にし、表３にあげた条件で複写を行なった。
【００１８】
【表３】
0003854319.tif 000007
【００１９】
複写画像の品質は表４のとおりであった。
【表４】
0003854319.tif 000008
【００２０】
【発明の効果】
請求項１及び２の発明によれば、トナーの転写性が改善され画像濃度が高くなっただけでなく、画像品質も向上したものとなる。
請求項３の発明によれば、吸収係数が２．０ｍｌ／ｍ2・ｍｓ1/2以下かつ王研式平滑度１５０秒以上にするには、非塗工紙にキャレンダー処理を行なうのが効果的である。
【図面の簡単な説明】
【図１】ブリストー法吸収係数を求めるための説明図。
【図２】液体現像転写方式を実施するのに適した装置の概略図を示した図。
【符号の説明】
１    感光体
２    現像ローラー
３    リバースローラー
４    液体現像剤
【図１】
0003854319.tif 000009
【図２】
0003854319.tif 000010